(57)【特許請求の範囲】
【請求項１】
書籍の頁間に挿入される栞において、書籍の一部に貼付可能な接着剤塗布部と、前記接着剤塗布部の一の端部に連続した前記書籍の天を覆うカバー部と、前記カバー部に連続した栞本体部とを備え、前記カバー部の裏面には前記書籍のタイトルを記入可能なタイトル記入部を備えることを特徴とする栞。
【請求項２】
前記タイトル記入部に代えて前記書籍の書籍名を予め印刷することを特徴とする請求項１記載の栞。
【請求項３】
前記カバー部には前記栞本体部と連続する側に少なくとも一の切欠き部を形成することを特徴とする請求項１又は２に記載の栞。
【請求項４】
前記接着剤塗布部とカバー部と栞本体部には、それらの大きさを前記書籍の大きさに合わせて修正可能に切り取るための切り取り線が設けられていることを特徴とする請求項１乃至３のいずれか１項に記載の栞。
【発明の詳細な説明】
【０００１】
【発明の属する技術分野】
本発明は、読書する際に用いる栞に係わり、特には、書籍を出版する際に挿入される広告等の印刷物としての機能や書店または購入者が書籍を収納する際に用いる書籍のほこりよけとしての機能を備える栞に関する。
【０００２】
【従来の技術】
一般に、書店において書籍を購入した場合には、無料のサービスとして栞を配布したりカバーをかけたりすることがある。それらは栞やカバーとして好適なデザインだけでなく、出版社や書店による広告等が印刷されていることが多い。また、購入した書籍自体には、出版社の書籍案内やその他の広告のための小型のチラシや、書店が出版社に送付しその書籍の販売数を知らせるためのスリップと呼ばれる注文票が挟まれていることも多い。
【０００３】
購入者はその書籍を読書する際に栞を用いることがあるが、栞においては第一に書籍を傷つけず、読書を中断する頁に栞を挿入したまま書籍を移動させた際にも容易に落下することがないなどの基本的な条件はもちろんのこと、さらに便利な付加的機能を備えたり、もしくは外観に優れたものであることが望ましい。
【０００４】
そのため、従来から栞に関して多くの発明または考案が開示されている。現在最も普通に用いられている栞は紙製の長方形のものであり、また更に栞の端部に孔を設け、孔部に紐状のものを挿入させて結び、長方形の紙を書籍に挟むと同時に、書籍の上部から紐状のものの端部を書籍の上部からのぞかせて目印とさせるものである。
【０００５】
これに対し、「透明でかつ弾性を有する栞本体の一端をＵ字状に折り返して挟持部を形成するとともに栞本体の他端には書物への栞の着脱を可能とするための固定手段を設けてなる栞」の考案が開示されている。（例えば、特許文献１参照。）これは書籍の一部に着脱可能な固定手段によって固定されるため、栞の落下を防ぐことができ、更に従来のように前回栞を挿んでいた部分から、今回栞を挿む頁まで栞を移動させる手間を省くため、頁を開くまたは閉じるという動作によって自動的に栞が挿入されるものである。
【０００６】
栞に限らず、書籍を購入した際に書籍に付随してくるものの一つであるブックカバーにおいては、栞と同様片面または両面に広告が印刷されている。書籍を携帯し、公共の場などでそれを読む場合、ブックカバーは書籍を保護する役割とともに読んでいる書籍のタイトルを他人に知られたくないときにも用いられる。しかし、自宅等で書籍を収納する際には、背表紙のタイトルがカバーによって覆われているため、目的の書籍を取り出すには書籍を開いて見る必要が生じる。
【０００７】
これに対し、「開かずとも題名、作者等がわかり、感想文の記載により本本体を汚さずにすむブックカバー」に関する発明が開示されている。（例えば、特許文献２参照。）「本の外側に掛けられた状態における背表紙に接する部分に、本の題名を記載可能な薄色若しくは白色の題名記載部」が設けられていることから、その書籍の題名や作者等の情報が一目で分かる。更に、このブックカバーにおいては、栞紐が書籍の背表紙となる部分に設けられており、カバーと栞の機能を兼ね備えている。
【０００８】
特許文献２と同様、書籍を保護するブックカバーであって、なおかつ栞を併せ持つ考案も開示されている。（例えば、特許文献３参照。）これはブックカバーの一部を栞とするために、カバーの一部に「コの字型」や「船形」のミシン目を入れて部分的に切り取れるように構成されたものである。
更に、栞の機能を含む複数の機能を持った考案も開示されている。（例えば、特許文献４参照。）これは「手帳・ノート・本等、重ねた複数枚の頁の一縁辺を一体化して他縁辺側を開閉自在とした冊子体に適用される多機能シート」であり、「多機能シートの一縁辺には冊子体の頁に着脱自在に張りつく粘着層」が設けられているものである。その目的は、「冊子体の頁の端面を保護したり、筆記時の下敷きや栞等として多岐にわたる機能を発揮する」ものである。このシートは冊子体においてその端面、すなわち冊子の天と地との間の小口部分を覆うことが可能となっている。更にシートには方眼パターンスケールや各種図形等の図柄等が設けられており、書籍の任意の頁に挿入することで栞として用いられるだけでなく、下敷きとして使用できるものである。
【０００９】
【特許文献１】
実開昭６１−１０５１７５号公報  （第１頁、第１図乃至第４図）
【特許文献２】
特開２０００−１７７２６８号公報  （第１乃至第３頁、図１）
【特許文献３】
実開平７−４０１６１号公報  （第１乃至第２頁、図１）
【特許文献４】
実用新案登録第２６０６５３９号公報  （第１頁、第２頁、図１）
【０００１０】
【発明が解決しようとする課題】
しかしながら、特許文献１においては、単に栞としての機能しかなく、それ以外の付加的な機能を持つものではない。
また特許文献２においては、書籍を収納する際に、ブックカバーの背表紙部分のタイトルを確認することができ、また広告を掲載するスペースを持ち、紐状の栞が付随するものであるが、書籍の外側のみを覆うカバーであるので、書籍が通常の規格のものより大きく、収納する際には背表紙あるいは小口部分を棚等の底部に接するようにして置く必要がある時には、タイトル部分が棚等の中に隠れることになる。
【００１１】
更に書籍のサイズにあった本棚を用いず、大小様々な書籍を並べて置く際には、本棚の空間にほこりが入り込むので書籍の天の部分が最もほこりが積もりやすい。特許文献２のシートを書籍に用いた場合、書籍の側面部をカバーできるが、天の部分に積もるほこりを防ぐことを考慮したものではない。
特許文献３においては、ミシン目によってブックカバーの一部を切り取ることができ、切り取った部分を栞として使用することができるが、切り取られた栞は通常用いられる栞と同様に長方形かそれに類似した形のものであり、書籍からの落下しやすさは改良されていない。さらに特許文献２と同じく、書籍の天の部分に積もるほこりを防ぐことはできない。
【００１２】
特許文献４においても、特許文献１乃至３と同様に書籍の天に積もるほこりを防ぐことができず、更に下敷きに用いられる強度のシートを冊子体に挟むので、結果として書籍全体が嵩張るという課題があった。
加えて、上記の特許文献１乃至４においては、書籍等を購入した個人によって実施されるものであって、製本・出版社から書店や消費者までの流通過程における利便性については何ら考慮されていない。また、栞とブックカバーと広告の機能を備えているものがあっても、注文票だけは別に書籍に挿入されており、それらが一体となっていてしかも着脱可能であるものは存在しなかった。
【００１３】
本発明は係る従来の事情に対処してなされたものであり、その目的は書籍の天を覆うカバーと栞と注文票の機能を持ち、カバーに書籍のタイトルを印刷または記入することを可能にし、栞と書籍との間に発生する摩擦を防止し、また片面あるいは両面に広告を掲載して宣伝媒体あるいは情報媒体とし、剥離・接着が繰り返し行えて他の書籍に用いることを可能とする栞を提供することである。
【００１４】
【課題を解決するための手段】
上記目的を達成するため、請求項１に記載の栞は、書籍の一部に貼付可能な接着剤塗布部と、接着剤塗布部の一の端部に連続した書籍の天を覆うカバー部と、カバー部に連続した栞本体部とを備え、カバー部の裏面には前記書籍のタイトルを記入可能なタイトル記入部を備えることを特徴とするものである。
上記構成の栞においては、繰り返し着脱可能な接着剤を塗布した接着剤塗布部が繰り返しあらゆる書籍に接着することを可能とする。接着剤塗布部の一部に連続したカバー部が書籍の天を覆い、書籍を収納しておく際にはほこりを防ぐという作用を有する。カバー部に連続した栞本体部は読書を中断する際に用いる栞となる。本発明の栞においては書籍の一部に接着されているために、書籍を移動させるなどしても栞が落下することがないという作用を有する。
【００１５】
また請求項２に記載の栞は、請求項１記載の栞において、タイトル記入部に代えて書籍の書籍名を予め印刷することを特徴とするものである。
【００１６】
請求項３に記載の栞においては、カバー部には栞本体部と連続する側に少なくとも一の切欠き部を形成することを特徴とするものである。
上記構成の栞においては、切欠き部を設けたことにより、カバー部および栞本体部が書籍の天および頁をカバーする際に、栞と書籍との間で摩擦を起こすことを防ぎ、栞本体が傷つくことを防ぐという作用を有する。
【００１７】
最後に、請求項４に記載の栞は、書籍の頁間に挿入される栞において、書籍の一部に貼付可能な接着剤塗布部と、接着剤塗布部の一の端部に連続した書籍の天を覆うカバー部と、カバー部に連続した栞本体部とを備え、前記接着剤塗布部とカバー部と栞本体部には、それらの大きさを書籍の大きさに合わせて修正可能に切り取るための切り取り線が設けられているものである。
上記構成の栞においては、使用の際に書籍の大きさを考慮しながら接着剤塗布部、カバー部、栞本体部を切り取り線に沿って調整するという作用を有する。
【００１８】
【発明の実施の形態】
以下に本発明の第１の実施の形態に係る栞を図１に基づき説明する。（請求項１乃至４に対応）
図１は本発明の第１の実施の形態に係る栞の外形図である。図１に表されているのは栞１の表面である。栞１は連続する栞本体部２とカバー部３と接着剤塗布部４と宣伝部５と売上補充注文票６と売上カード７を備えて成る。接着剤塗布部４において接着剤は裏面に塗布されており、書籍１１の見返し１５上部に接着される。
また、カバー部３は接着剤塗布部４とカバー部３との間に設けられた折り返し線８を折り曲げることで書籍１１の天１３を覆い、更にカバー部３に連続する栞本体部２は、カバー部３と栞本体部２の間に設けられた折り返し線８を折り曲げることで書籍１１の頁の間に挿入されるものである。
【００１９】
なお、図１においては、書籍１１の頁が閉じてある側の天１３を覆うカバー部３端部は、円弧状に形成されている。これは、頁数の多い書籍１１においては、背表紙側において膨らむような製本がなされる場合があり、カバー部３端部が直線的に形成されると天１３の背表紙側に近い部分においてはカバー部３が覆いきれず、その部分に埃などが堆積するため、それを防止する目的によるものである。このように円弧状に形成すれば、天１３を隙間なく覆うことができ、より一層良い状態で書籍１１を保存することができる。図１では、カバー部３の一方の端部のみを円弧状に形成させたが、これを例えば、両側とも円弧状に形成させれば、見開きが逆の場合においても利用することができるため、より汎用性の高い栞１として利用することができる。
【００２０】
さらに、栞本体部２は両端に切欠き部１０を備えている。接着剤塗布部４と宣伝部５の間にはミシン目９が設けられ、また宣伝部５と売上補充注文票６、売上補充注文票６と売上カード７の間にもミシン目９が設けられている。栞１の素材は紙をはじめ、弾性があり書籍１１に挿入されたときに嵩張らないシート状のものとするとよい。なお、本願明細書では、書籍１１の上端部を天１３、下端部を地１４、通常二つ折りの短冊型紙片であるスリップのうち、一片を書店が販売会社に売れた本を注文するための売上補充注文票６、他片を書店が売り上げを管理するための売上カード７と呼ぶ。また、売上補充注文票６と売上カード７においては、その配置における上下順序は限定するものではなく、売上補充注文票６を下方に設けてもよい。また、本実施の形態においては、裏表紙の見返し１５に接着する構成としたが、表紙１２側の見返し部分に接着してもよい。但し、この場合には読書のために表紙１２を開く際に表紙１２に接着された栞１が邪魔になるため裏表紙の方が望ましいといえる。
【００２１】
このように構成された栞１においては、接着剤塗布部４に連続したカバー部３は書籍を収納する際には書籍１１の天１３にほこりや汚れが付くことを防ぐことができる。栞本体部２においては、カバー部３に接続されているため読書中または栞として書籍の間に挿入させたときも書籍１１から落下することがない。更に切欠き部１０は読書を中断し、栞を挿む際に書籍と栞との間に発生する摩擦を軽減させて容易に挿入させることができる。また、宣伝部５と売上補充注文票６と売上カード７はミシン目９によって接続されているため、必要に応じて切り取ることができる。
【００２２】
次に、本発明に係る栞の第１の実施の形態を図２と図３を用いて説明する。
図２は栞１を用いて書籍１１の任意の頁に栞本体部２を挿入した場合を示す外形図である。図２においては図１に示される構成と同一の構成については同一符号を付し、その説明は省略する。本図は、カバー部３が書籍１１の天１３を覆い、栞本体部２が書籍１１の任意の頁に挿入された状態を示している。書籍１１の表紙１２から頁を捲っていき、書籍を中断する場合にカバー部３に接続された栞本体部２を任意の頁に挿入させるのである。
【００２３】
図３は収納する書籍１１に対して栞１を用いるときの外形図である。図３においても図１に示される構成には同一符号を付してその説明は省略する。カバー部３は書籍１１の天１３を横断する長さに予め調節されており、折り返し線８から折り曲げられ、栞本体部２が書籍１１の先頭の頁を覆う構成となっている。
このように構成された栞においては、表紙１２を閉じて書籍１１を本棚等に収納する際には、カバー部３が天１３を覆い、ほこりや汚れが付着することを防ぐことができる。
【００２４】
次に、本発明に係る栞の第１の実施の形態を図４と図５を用いて説明する。（特に、請求項１乃至３に対応）
図４は栞１の表面を示す外形図である。栞本体部２の表面は栞として好適な色彩等を用いたデザインを印刷するだけでなく、あらゆる広告あるいは情報を掲載するスペースとなっている。栞本体部２は両端に設けられた切欠き部１０に沿って面積を小さくするものである。
【００２５】
接着剤塗布部４の表面は特に加工されないが、裏面は接着剤が塗布され、書籍の一部に接着されるものである。宣伝部５はその両端はミシン目９によって接続されているため、例えば出版社が書籍１１の読後感想をアンケートしたい場合、また各種調査等の回答を得たい場合、宣伝部５にはがきを印刷するものとし、個人が回答を記入して提出に用いるものである。よって表面にアンケートを送付する宛先が記入されている。なお、情報を掲載する側にとってミシン目９が不必要であると判断する場合には、接着剤塗布部４と宣伝部５の間にミシン目９を設けないこととする。売上補充注文票６、売上カード７においては、従来の注文票や売上カードに記載されている情報を記入するものとする。
このような構成の栞において、栞本体部２及び宣伝部５にあらゆる情報を印刷可能な情報媒体とすることができ、更に宣伝部５が不必要な場合には切り取りが可能である。売上補充注文票６、売上カード７はミシン目９により、書店において適宜切り取り可能であって、従来の注文票に比べて抜け落ちにくく、紛失を防ぐことが可能である。
【００２６】
図５は栞１の裏面を示す外形図である。栞本体部２の裏面は、出版社から出版予定の書籍等の案内を記入している。カバー部３の裏面は、書籍１１のタイトルを予め印刷しておくとよい。また、図５に示すように個人でタイトルを記入することも可能とするタイトル記入部３ａを備えてもよい。
【００２７】
接着剤塗布部４においては、書籍に対し繰り返し着脱可能な接着剤４ａを塗布し、書籍の見返しあるいはその他書籍の一部に接着される。宣伝部５においては、図４に示したように表面に合わせて提出用のアンケート内容が記載されている。なお、接着剤４ａの塗布範囲は書籍１１と栞１とのバランスのとれた塗布量とするもので、限定されるものではない。
【００２８】
このように構成された栞において、栞本体部２においては、出版社や書店からの広告だけでなく、カレンダーなど実用的な効果のあるものを印刷することも可能である。
また、カバー部３においては、タイトル記入部３ａに予めタイトルを印刷し書店に陳列することが可能であり、さらに、空白の状態にしておき、購買者が個人で記入することにより、個人が書籍を収納する際にはタイトルを確認することができる。このようにタイトル記入部３ａに書籍のタイトルを記載しておけば、例えば書籍を通常のように背表紙を見えるように本棚に納めるのではなく、横に寝かせて背表紙が見えないように積むような場合であっても、タイトルを確認することができる。図書館などでも、このように管理することが可能であるし、また、背表紙と天を覆う部分に記載されたタイトルの両方で確認でき、所望の書籍を探すことがより容易になる。
宣伝部５は栞本体部２に記載するものと同様、あらゆる広告を掲載可能であるが、ミシン目９が設けられているため、購読者にとって不必要である場合は切り取って廃棄し、残りの接着剤塗布部４とカバー部３と栞本体部２のみで使用することも可能である。
【００２９】
次に、本発明に係る栞の第２の実施の形態を図６と図７を用いて説明する。（特に、請求項４に対応）
図６は栞１の表面を示す外形図である。図６においては図１に示される構成と同一の構成には同一符号を付し、その構成の説明は省略する。図６に構成された栞１においては、書籍のサイズに適合するように、切取り線１６ａ、切取り線１６ｂ、切取り線１６ｃを備えるものである。
このような構成の栞において、切取り線１６ｃに沿って切り取ることで、小型の書籍に用いることが可能となる。また、適宜書籍のサイズに調節された切取り線により、個人が所蔵するあらゆる規格の書籍に対し使用することができる。本実施の形態においては、栞本体部２,カバー部３，接着剤塗布部４のみを示しているが、これは予め出版社などで貼付されるものではなく、別に文具店などで販売されるような栞を考慮したためである。但し、この接着剤塗布部４にさらに宣伝部５などを連接してもよく、これによってこの栞を廉価に販売することも可能である。
【００３０】
図７は栞１の裏面を示す外形図である。図７においては図１に示される符号と同一符号については同一符号を付し、その構成の説明は省略する。栞本体部２には表面と同様に切取り線１６ａ、切取り線１６ｂ、切取り線１６ｃを備えている。カバー部３は全面に方眼線１７が印刷されている。接着剤塗布部４は、全面に接着剤４ａを塗布するものである。
このような構成の栞において、カバー部３に印刷された方眼線１７が、使用者が適宜書籍のタイトルを記入するときのガイドとなり、便利である。接着剤塗布部４においては、全面に接着剤４ａが塗布されているため、切取り線１６のどのサイズに切り取っても、必要量の接着剤４ａを備えており、書籍に対し貼付が可能となる。
【００３１】
本実施の形態においては、予め切り取られた各サイズを備える栞１を複数枚重ね、接着剤塗布部４に塗布された接着剤４ａによって接着され保持される形態のものであってもよい。これによって、個人においては既に購入した書籍に、書籍のサイズに合わせた栞１を用いることができる。さらに、大量の蔵書を保管している図書館等においても用いることが可能である。また、図１に示したようにカバー部３の一の端部又は両端部を円弧状に形成することにすれば、厚めの書籍などの天の部分の形状に沿って覆うことも可能であり、埃の堆積を天の全面に亘って防止してより良い状態で保存することができる。
【００３２】
【発明の効果】
以上説明したように、本発明の栞においては、繰り返し着脱可能な接着剤によって書籍に貼り付けることを可能とし、同時に注文票を備え、書籍の天をカバーしてほこりや汚れを防ぎ、さらに収納の際にはカバーを掛けたまま書籍のタイトルなどの情報を確認でき、また広告媒体として用いることが可能である。  また、書籍に対して従来別々の機能を備え、扱いが煩雑だったブックカバーと栞と広告部と注文票を同時に備え、印刷と貼付とを製本の段階で一度に完了させるため、従来の流通の各段階で行っていた作業にかかるコストを軽減できるものである。よって、極力資源とコストを削減することが可能となるものである。
さらに、特に請求項４に記載の栞においては、個人や図書館など流通した後の書籍を所蔵する際に、切取り線に沿って切り取れば様々な書籍のサイズに対応させて使用することができる。
【図面の簡単な説明】
【図１】本発明の第１の実施の形態に係る栞の外形図である。
【図２】本発明の第１の実施の形態に係る栞を用いて書籍の任意の頁に栞本体部を挿入したところを示す外形図である。
【図３】本発明の第１の実施の形態に係る栞を収納する書籍に対して用いるときの外形図である。
【図４】本発明の第１の実施の形態に係る栞の表面を示す外形図である。
【図５】本発明の第１の実施の形態に係る栞の裏面を示す外形図である。
【図６】本発明の第２の実施の形態に係る栞の表面を示す外形図である。
【図７】本発明の第２の実施の形態に係る栞の裏面を示す外形図である。
【符号の説明】
１…栞  ２…栞本体部  ３…カバー部  ３ａ…タイトル記入部  ４…接着剤塗布部  ４ａ…接着剤  ５…宣伝部  ６…売上補充注文票  ７…売上カード  ８…折り返し線  ９…ミシン目  １０…切欠き部  １１…書籍  １２…表紙  １３…天  １４…地  １５…見返し  １６ａ，１６ｂ，１６ｃ…切取り線  １７…方眼線
【図１】
0003678723.tif 000002
【図２】
0003678723.tif 000003
【図３】
0003678723.tif 000004
【図４】
0003678723.tif 000005
【図５】
0003678723.tif 000006
【図６】
0003678723.tif 000007
【図７】
0003678723.tif 000008